(57)【特許請求の範囲】
【請求項１】
天板の下方にコンピュータ機器が収納されるとともに、前記天板の下方の後面を覆う後面板に、前記コンピュータ機器のケーブル類を挿通可能とする開口が形成され、前記コンピュータ機器から前記開口を挿通して天板上に載置される他のコンピュータ機器に接続されるケーブル類を覆う配線用カバー体を有する机において、
前記配線用カバー体が、前記開口から、前記天板上に載置されるコンピュータ機器の背面にかけて上下方向に延びるように設けられており、この配線用カバー体により、前記天板の後端部との間に空間部が形成されることを特徴とする配線用カバー体を有する机。
【請求項２】
前記天板の下方空間の少なくとも一部が、開閉板により背面側に開閉自在に設けられており、前記配線用カバー体が、前記開閉板に取り付けられている請求項１に記載の配線用カバー体を有する机。
【請求項３】
前記カバー体の下部に、下端が前記開口の下端縁に向かって傾斜するテーパ面が形成されている請求項１または２に記載の配線用カバー体を有する机。
【請求項４】
前記天板の下方に、コンピュータ機器設置用の棚部が設けられるとともに、該棚部の後端部と閉塞状態にある前記後面板の内面との間が離間されている請求項１に記載の配線用カバー体を有する机。
【発明の詳細な説明】
【０００１】
【発明の属する技術分野】
本発明は、配線用カバー体を有する机に関する。
【０００２】
【従来の技術】
従来より、パソコンのディスプレイや周辺機器等を、机やカウンター等の天板上に載置して利用することが多いが、特にこれら机やカウンターの後面を、壁やパーティション側に向けて設置出来ないような場合においては、ディスプレイの背面が外部に露呈して見映えが悪くなるため、例えばディスプレイの背面側の天板上にパネルスクリーン等を載置して、ディスプレイの背面が外部に露呈されないようにすることがある。
【０００３】
【発明が解決しようとする課題】
しかしながら、これらディスプレイより延出されるケーブル類が、天板の後端から机の後面に形成される開口を挿通し、天板下方に収納されるコンピューター本体等と接続するような場合においては、スクリーンパネルによりディスプレイの背面を覆うことは出来るが、スクリーン下方に延出されるケーブル類や開口は外部に露呈してしまうため、机の前面の外観が損なわれるばかりか、配線作業等を行う際に、スクリーンパネルが邪魔になるといった問題があった。
【０００４】
本発明は、このような問題点に着目してなされたもので、天板上にディスプレイ等のコンピュータ機器等が載置された場合にあっても、机の背面側を体裁良く見せることが出来る配線カバー体を有する机を提供するものである。
【０００５】
【課題を解決するための手段】
上記の目的を達成するために、配線用カバー体を有する机は、天板の下方にコンピュータ機器が収納されるとともに、前記天板の下方の後面を覆う後面板に、前記コンピュータ機器のケーブル類を挿通可能とする開口が形成され、前記コンピュータ機器から前記開口を挿通して天板上に載置される他のコンピュータ機器に接続されるケーブル類を覆う配線用カバー体を有する机において、
前記配線用カバー体が、前記開口から、前記天板上に載置されるコンピュータ機器の背面にかけて上下方向に延びるように設けられており、この配線用カバー体により、前記天板の後端部との間に空間部が形成されることを特徴としている。
この特徴によれば、天板上のコンピュータ機器の背面と、このコンピュータ機器から、天板の後端部を回り込むように配線されるケーブル類、及びこのケーブル類を挿通する後面板の開口とが、配線用カバー体により連続して覆われるため、机の背面側の外観が向上する。
【０００６】
本発明の配線用カバー体を有する机は、前記天板の下方空間の少なくとも一部が、開閉板により背面側に開閉自在に設けられており、前記配線用カバー体が、前記開閉板に取り付けられていることが好ましい。
このようにすることで、前記開閉板を開放すれば配線を容易に行えるばかりか、配線作業後に開閉板を閉塞するだけで、ケーブル類が配線用カバー体により覆われる。
【０００７】
本発明の配線用カバー体を有する机は、前記カバー体の下部に、下端が前記開口の下端縁に向かって傾斜するテーパ面が形成されているいることが好ましい。
このようにすることで、天板上のコンピュータ機器から延出されるケーブル類を、天板の後端部とカバー体との間の隙間に落とし込むだけで、ケーブル類が開口を介して天板下方の空間内に挿通されるため、配線作業が容易になる。
【０００８】
本発明の配線用カバー体を有する机は、前記天板の下方に、コンピュータ機器設置用の棚部が設けられるとともに、該棚部の後端部と閉塞状態にある前記後面板の内面との間が離間されていることが好ましい。
このようにすることで、天板下方に収納されたコンピュータ機器と、外部電源や他のコンピュータ機器等との接続用のケーブル等を後面板の背面に露呈させることなく配線することが出来る。
【０００９】
【発明の実施の形態】
以下、本発明の実施例１を図面に基づいて説明すると、図１、２には例えば図書館や病院等にて使用される上面視略Ｌ字形の受付用カウンターが示されている。このカウンター１は、作業エリアＡと来客エリアＢとを区画するように設置されるものであり、本実施例においては、図１中左側が受付人の作業スペース２０として利用され、右側が来客人に対する受付スペース４０として利用されるようになっている。
【００１０】
図２に示されるように、カウンター１の上部に設置される天板２は、屈曲部５から受付スペース４０側の端部３に向かって幅広になるように形成されている。
【００１１】
天板２における受付スペース４０側の端部３の下面には側板６が、作業スペース２０側の端部４の下面には側板７が設けられるとともに、屈曲部５の下面にはコーナー部材８が設けられている。
【００１２】
天板２の下面におけるコーナー部材８の内側面８ａと側板６の内面６ａとの間には、一方の端部がコーナー部材８の内側面８ａにおける外端に当接されて、天板２の外側縁２ｂ寄りに位置し、他方の端部が側板６の内面６ａの前後方向略中央部に当接される覆板９が設けられている。
【００１３】
また、天板２の下面におけるコーナー部材８の内側面８ｂと側板７との間には、覆板１０が天板２の外側縁２ｂに沿うように設けられている。
【００１４】
このように、天板２の下方は、側板６、覆板９、コーナー部材８、覆板１０、側板７により支持されているとともに、覆板９、１０及びコーナー部材８により、天板２の下方の空間が来客エリアＢ側と作業エリアＡ側とに区画され、来客エリアＢ側から作業エリアＡ側の下方が見えないようになっている。よって、受付スペース４０側の天板２の下方は、覆板９を挟んで、作業エリアＡ側に開放する空間Ｓ１と、来客エリアＢ側に開放する空間Ｓ２とがそれぞれ形成されるとともに、作業スペース２０側の天板２の下方には、作業エリアＡ側に空間Ｓ３が形成されている。
【００１５】
図３、４に示されるように、天板２上面にはディスプレイＤが載置ており、その下方の空間Ｓ３に設けられた棚１２にはパソコン本体Ｐを収納出来るようになっている。また、天板２の下方には、先端が内側縁２ａより突出するようにキーボード台１３が設けられており、その上面をキーボードＫやマウスＭの載置台として利用出来る。
【００１６】
空間Ｓ３の背面を覆う覆板１０は、固定板１０ａと開閉板１０ｂに分割されており、この開閉板１０ｂは、空間Ｓ３の屈曲部５側の側面を構成する仕切板１５の内面に取り付けられた蝶番１６を介して、来客エリアＢ側に開閉自在に設けられている。また、開閉板１０ｂの上端縁における所定箇所には、上端が切れ欠かれた開口１７が形成されており、この開口１７に配線コードＣ１及び電源コードＣ３を挿通出来るようになっている。さらに、開閉板１０ｂが閉鎖状態にある時でも、開閉板１０ｂの作業エリアＡ側の面と棚１２の後縁の間に隙間１１が形成されるようになっているので、電源コードＣ３、Ｃ４を下方に挿通出来る。
【００１７】
開閉板１０ｂにおける開口１７の下部には、開口１７からディスプレイＤの背面にかけて覆うように上下方向に延びるカバー部材１８の下端部が取り付けられている。このカバー部材１８は、左右の側板１８ａ、１８ａ及び背板１８ｂとから、カウンター１側に向けて開放する上面視略コ字形に形成されている。また、側板１８ａは天板２より上方が開口側に広く形成されており、ディスプレイＤの後方側面が覆われるようになっている。
【００１８】
そして開閉板１０ｂが閉鎖状態にある時、背板１８ｂの内面と天板２の後縁との間に隙間１９が形成されるようになっており、配線コードＣ１及び電源コードＣ３を挿通出来るようになっている。
【００１９】
このように、本実施例におけるカウンターにあっては、天板２上面に載置されたディスプレイＤの背面と、このディスプレイＤから、天板２の後端部を回り込むように配線される配線コードＣ１、電源コードＣ３及びこのコード類を挿通する開閉板１０ｂの開口１７とが、カバー部材１８により連続して覆われるため、ディスプレイの背面のみならず、コード類や開口１７が、来客エリアＢ側に露呈することがないので、カウンターの来客エリア側の外観が向上する。
【００２０】
また、開閉板１０ｂを開放すれば配線のメンテナンス作業等を容易に行えるばかりか、配線作業後に開閉板１０ｂを閉塞するだけで、コード類がカバー部材１８により覆われる。
【００２１】
さらに、開閉板１０ｂの作業エリアＡ側の面と棚１２の後端の間に形成された隙間１１に電源コードＣ３、Ｃ４を挿通して、棚１４上に載置されたＯＡタップＴに接続出来るので、電源コードＣ３、Ｃ４を覆板１０の来客エリアＢ側に露呈させることがない。
【００２２】
次に、図５、６には、本発明の第２実施例が示されている。本実施例における机２１は、天板２２と、それを支持する左右の脚板２３と、背面開口を覆う幕板２４から構成されており、天板２２上部にはディスプレイＤ、キーボードＫ、マウスＭが載置されている。
【００２３】
図６に示されるように、天板２２の下方の空間Ｓ４に設けられた棚２５には、パソコン本体Ｐを収納出来るようになっている。
【００２４】
幕板２４の上端縁における所定箇所には、上端が切れ欠かれた開口２７が形成されており、この開口２７に配線コードＣ１及び電源コードＣ３を挿通出来るようになっている。また、幕板２４の空間Ｓ４側の面と、棚２５の後縁の間に隙間３１が形成されるようになっているので、電源コードＣ３、Ｃ４が挿通出来る。
【００２５】
幕板２４における開口２７の下部には、開口２７からディスプレイＤの配線部分にかけて覆うように上下方向に延びるカバー部材２８が取り付けられている。このカバー部材２８は左右の側板２８ａ、２８ａ及び背板２８ｂとから、机２１側に向けて開放する上面し略コ字形に形成されている。また、側板２８ａは天板２２より上方が開口側に広く形成されており、ディスプレイＤの後方側面が覆われるようになっている。
【００２６】
背板２８ｂの内面と天板２２の後縁との間に隙間２９が形成されるようになっており、配線コードＣ１、Ｃ２及び電源コードＣ３を挿通出来るようになっている。
【００２７】
このように本実施例における机にあっては、天板２２上のディスプレイＤのケーブル接続部分と、ディスプレイＤ、キーボードＫ、マウスＭから、天板２２の後端部を回り込むように配線されるケーブル類及びこのケーブル類を挿通する幕板２４の開口２７とが、カバー部材２８により連続して覆われるため、机２１の背面側の外観が向上する。
【００２８】
本実施例におけるカバー部材２８の背板２８ｂの下端には、開口２７の下端に向かって下方に傾斜するテーパ面３０が形成されているため、メンテナンス時等において、天板２２上方からコード類を隙間２９に落とし込むだけで、このコード類の端部が、テーパ面３０により開口２７を介して天板下方のパソコン本体Ｐ収納部内に導かれるようになっている。
【００２９】
以上、本発明の実施例１、２を図面に基づいて説明してきたが、具体的な構成はこれら実施形態に限られるものではなく、本発明の要旨を逸脱しない範囲における変更や追加があっても本発明に含まれる。
【００３０】
例えば、実施例１における開閉板１０ｂは蝶番１６を介して開閉自在に取り付けられているが、開閉板１０ｂ全体が固定板１０ａに対して着脱可能に設けられていても良い。
【００３１】
【発明の効果】
本発明は以下の効果を奏する。
【００３２】
（ａ）請求項１項の発明によれば、天板上のコンピュータ機器の背面と、このコンピュータ機器から、天板の後端部を回り込むように配線されるケーブル類、及びこのケーブル類を挿通する後面板の開口とが、配線用カバー体により連続して覆われるため、机の背面側の外観が向上する。
【００３３】
（ｂ）請求項２項の発明によれば、配線を容易に行えるばかりか、配線作業後に開閉板を閉塞するだけで、ケーブル類が配線用カバー体により覆われる。
【００３４】
（ｃ）請求項３項の発明によれば、天板上のコンピュータ機器から延出されるケーブル類を、天板の後端部とカバー体との間の隙間に落とし込むだけで、ケーブル類が開口を介して天板下方の空間内に挿通されるため、配線作業が容易になる。
【００３５】
（ｄ）請求項４項の発明によれば、天板上のコンピュータ機器から延出されるケーブル類を、天板の後端部とカバー体との間の隙間に落とし込むだけで、ケーブル類が開口を介して天板下方の空間内に挿通されるため、配線作業が容易になる。
【００３６】
【図面の簡単な説明】
【図１】本発明の実施例１のカウンターを示す全体斜視図である。
【図２】図１のカウンターの上面図である。
【図３】図１のカウンターにおける開閉板を開いた状態を示す斜視図である。
【図４】図１のカウンターにおける収納部の断面図である。
【図５】本発明の実施例２机を示す全体斜視図である。
【図６】図５の机における収納部の断面図である。
【符号の説明】
１          受付用カウンター
２          天板
２ａ        外側縁
２ｂ        内側縁
３、４      端部
５          屈曲部
６、７      側板
６ａ        内面
８          コーナー部材
８ａ、８ｂ  内側面
９、１０    覆板
１０ａ        固定板
１０ｂ        開閉板
１１          隙間
１２          棚
１３          キーボード台
１４          棚
１５          仕切板
１６          蝶番
１７          隙間
１８          カバー部材（配線カバー体）
１８ａ        側板
１８ｂ        背板
１９          隙間
２０          作業スペース
２１          机
２２          天板
２３          脚板
２４          幕板
２５          棚
２６          配線ダクト
２７          開口
２８          カバー部材（配線カバー体）
２８ａ        側板
２８ｂ        背板
２９          隙間
３０          テーパ面
３１          隙間
４０          来客スペース
Ｓ１、Ｓ２、Ｓ３、Ｓ４  空間
Ｃ１、Ｃ２    配線コード
Ｃ３、Ｃ４    電源コード
Ｄ          ディスプレイ
Ｋ          キーボード
Ｍ          マウス
Ｐ          パソコン本体
【図１】
0004331307.tif 000002
【図２】
0004331307.tif 000003
【図３】
0004331307.tif 000004
【図４】
0004331307.tif 000005
【図５】
0004331307.tif 000006
【図６】
0004331307.tif 000007